(57)【要約】      （修正有）【課題】駆動電圧生成の信号の周波数と表示周波数との差によって発生する干渉を抑制してノイズを除去し、画質の低下を防止した液晶表示装置を提供する。【解決手段】液晶表示装置は、行方向に延長している複数のゲート線と、列方向に延長している複数のデータ線と、ゲート線及びデータ線に連結されているスイッチング素子、スイッチング素子の出力端子及び共通電圧に連結された液晶キャパシタ及びスイッチング素子の出力端子及び前段ゲート線に連結されているストレージキャパシタを含む複数の画素と、を含む液晶パネルと、スイッチング素子を駆動させるためのゲート電圧をゲート線に供給するゲート駆動部と、印加されるデータ信号に対応する階調電圧をデータ線に供給するデータ駆動部と、昇圧クロック信号により電圧を昇圧し、昇圧された電圧に基づいてゲート電圧及び共通電圧を生成する駆動電圧生成部と、を含み、昇圧クロック信号は共通電圧に同期している。【選択図】図１
2010117719.tif 000002
【特許請求の範囲】
【請求項１】
第１クロック信号及び第２クロック信号のうちの一つを選択して昇圧クロック信号として出力する選択部と、
前記第１クロック信号に基づいて動作し、電圧を昇圧して出力する昇圧部と、
前記第２クロック信号に基づいて動作し、前記昇圧された電圧を基に共通電圧を生成する共通電圧生成部と、
前記第２クロック信号に基づいて動作し、前記昇圧された電圧を基にゲートオン電圧及びゲートオフ電圧を含むゲート電圧を生成するゲート電圧生成部と、を含み、
前記共通電圧は一定の周期で変化し、
前記第１クロック信号は前記第２クロック信号に同期していることを特徴とする、液晶表示装置の駆動電圧生成回路。
【請求項２】
前記第１及び第２クロック信号は、外部から印加される水平同期信号に同期していることを特徴とする、請求項１に記載の液晶表示装置の駆動電圧生成回路。
【発明の詳細な説明】
【技術分野】
【０００１】
本発明は液晶表示装置に関し、より詳しくは、駆動電圧生成回路及びこれを利用した液晶表示装置に関する。
【背景技術】
【０００２】
一般的な液晶表示装置は、二つの表示板及びその間に注入されている誘電率異方性を有する液晶層を含む。液晶表示装置は、液晶層に電界を印加し、この電界の強さを調節して液晶層を通過する光の透過率を調節することによって、所望の画像を表示する。このような液晶表示装置は、携帯に便利な平板表示装置の代表格であって、この中でも、薄膜トランジスタをスイッチング素子として利用した薄膜トランジスタ液晶表示装置が主に利用されている。
【０００３】
薄膜トランジスタが形成される表示板には、複数のゲート線及びデータ線が各々水平方向及び垂直方向に形成されており、薄膜トランジスタを通じてこれらのゲート線及びデータ線に連結された画素電極が形成されている。
【０００４】
このような薄膜トランジスタ液晶表示装置において、各画素に画像データを印加するために、タイミング制御部が画像信号源（例えばコンピュータやＴＶなど）から画像データを受けて、一定のタイミングに合わせてゲート駆動ＩＣに駆動信号を出力し、データ駆動ＩＣに画像データを出力する。ゲート駆動ＩＣは、ゲート線に走査信号であるゲートオン電圧を印加して、このゲート線に連結された薄膜トランジスタを順にオンさせる。これと同時に、データ駆動ＩＣは、前記ゲート線に対応する画素行の各データ線に画像データに該当するアナログ信号（より具体的には階調電圧）を供給する。これにより、データ線に供給された画像信号は、オンした薄膜トランジスタを通じて各画素に印加される。この時、１フレーム周期の間に全てのゲート線に順にゲートオン電圧を印加して全ての画素行に画像データを印加することによって、一つのフレームの画像を表示する。
【０００５】
このような液晶表示装置において、各画素に印加されたデータ電圧を維持する方式には、独立駆動方式及び前段ゲート駆動方式がある。独立駆動方式は、各画素に形成された保持容量を画素電極に印加される画素電圧と共通電圧（Ｖｃｏｍ）との差に基づいて充電する方式である。前段ゲート駆動方式は、保持容量を画素電極に印加される画素電圧とゲート電圧との差に基づいて充電する方式である。
【発明の概要】
【発明が解決しようとする課題】
【０００６】
前段ゲート駆動方式は、独立駆動方式より充電量が大きく、パネルの構造上、保持容量の充電のための配線を分配することを要求されないので、画素の開口率が独立駆動方式よりも大きいという長所がある。しかし、前段ゲート駆動方式では、画像の表示の際に画素電圧及び共通電圧と同様にゲート電圧の影響も受けるので、ガンマ曲線を制御するのが難しい。加えて、ゲート配線上のＲＣ遅延によるゲート電圧遅延が生じてフリッカーが発生する。さらに、各画素に提供される電圧にノイズが含まれて画質が低下する問題点がある。
【０００７】
したがって、本発明の目的は、従来の問題点を解決することであって、前段ゲート駆動方式に基づいて動作する液晶表示装置の画質をより向上させることである。
特に、本発明の目的は、信号間の周波数干渉によって発生するノイズを除去することでする。
【課題を解決するための手段】
【０００８】
このような技術的課題を解決するために、本発明の液晶表示装置の駆動電圧生成回路は、第１クロック信号及び第２クロック信号のうちの一つを選択して昇圧クロック信号として出力する選択部と、前記第１クロック信号に基づいて動作し、電圧を昇圧して出力する昇圧部と、前記第２クロック信号に基づいて動作し、前記昇圧された電圧を基に共通電圧を生成する共通電圧生成部と、前記第２クロック信号に基づいて動作し、前記昇圧された電圧を基にゲートオン電圧及びゲートオフ電圧を含むゲート電圧を生成するゲート電圧生成部と、を含み、前記共通電圧は一定の周期で変化し、前記第１クロック信号は前記第２クロック信号に同期している。この場合、前記第１及び第２クロック信号は、外部から印加される水平同期信号に同期しているのが好ましい。
【０００９】
本発明の液晶表示装置は、行方向に延長している複数のゲート線と、列方向に延長している複数のデータ線と、前記ゲート線及びデータ線が交差して定義している領域において、前記ゲート線及びデータ線に連結されているスイッチング素子、前記スイッチング素子の出力端子及び共通電圧に連結された液晶キャパシタ及び前記スイッチング素子の出力端子及び前段ゲート線に連結されているストレージキャパシタを含む複数の画素と、を含む液晶パネルと、前記スイッチング素子を駆動させるためのゲート電圧を前記ゲート線に供給するゲート駆動部と、印加されるデータ信号に対応する階調電圧を前記データ線に供給するデータ駆動部と、昇圧クロック信号により電圧を昇圧し、昇圧された電圧に基づいて前記ゲート電圧及び共通電圧を生成する駆動電圧生成部と、を含み、前記昇圧クロック信号は前記共通電圧に同期している。その他にも、外部から印加される電圧を分周して第１クロック信号を生成する第１クロック生成部と、外部から印加される水平同期信号に同期した第２クロック信号を生成する第２クロック生成部と、を含むタイミング制御部をさらに含むことができる。
【００１０】
この場合、前記駆動電圧生成部は、前記第１クロック信号及び第２クロック信号のうちの一つを選択して昇圧クロック信号として出力する選択部と、前記昇圧クロック信号により電圧を昇圧して出力する昇圧部と、前記第２クロック信号により昇圧された電圧に基づいて共通電圧を生成する共通電圧生成部と、前記第２クロック信号により前記昇圧された電圧に基づいてゲートオン電圧及びゲートオフ電圧を含むゲート電圧を生成するゲート電圧生成部と、を含むことができる。この時、前記選択部は前記第２クロック信号を昇圧クロック信号として選択するのが好ましい。
【００１１】
一方、本発明の液晶表示装置は、外部から印加される水平同期信号に同期した第１クロック信号を生成する第１クロック生成部と、外部から印加される水平同期信号に同期した第１クロック信号を生成する第２クロック生成部と、を含むタイミング制御部をさらに含むことができる。
【００１２】
この場合、前記駆動電圧生成部は、前記第１クロック信号により電圧を昇圧して出力する昇圧部と、前記第２クロック信号により昇圧された電圧に基づいて共通電圧を生成する共通電圧生成部と、前記第２クロック信号により前記昇圧された電圧に基づいてゲートオン電圧及びゲートオフ電圧を含むゲート電圧を生成するゲート電圧生成部と、を含む。
【００１３】
一方、前記駆動電圧生成部は、前記昇圧された電圧に基づいて前記階調電圧を生成するためのデータ駆動電圧を生成するデータ駆動電圧生成部をさらに含むことができる。
【発明の効果】
【００１４】
本発明によると、前段ゲート駆動方式の液晶表示装置において、駆動電圧生成のための信号の周波数と表示周波数との差によって発生する干渉を抑制し、ノイズの発生による画質の低下を防止することができる。これにより、液晶表示装置の画質がより向上する。
【図面の簡単な説明】
【００１５】
【図１】本発明の実施例による液晶表示装置の構造を示すブロック図である。
【図２】本発明の実施例による画素の等価回路図である。
【図３】本発明の第１実施例による駆動電圧生成部の構造を示すブロック図である。
【図４】本発明の第１実施例による駆動電圧生成部で用いられる信号の波形図である。
【図５】図４に示された信号間の干渉によってノイズが発生した状態を示す波形図である。
【図６】本発明の第２実施例による駆動電圧生成部の構造を示す図である。
【図７】本発明の第２実施例による駆動電圧生成部の動作波形図である。
【発明を実施するための形態】
【００１６】
添付した図面を参照して、本発明の実施例について、本発明が属する技術分野における通常の知識を有する者が容易に実施することができるように詳細に説明する。しかし、本発明は多様な相異した形態で実現でき、ここで説明する実施例に限定されない。
【００１７】
図１に、本発明の実施例による液晶表示装置の構造を示す。図２には、図１に示された画素の構造をより具体的に示している。
図１に示されているように、本発明の実施例による液晶表示装置は、液晶パネル１００、これに連結されたゲート駆動部２００及びデータ駆動部３００、ゲート駆動部２００に連結された駆動電圧生成部４００、データ駆動部３００に連結された階調電圧生成部５００及びこれらを制御するタイミング制御部６００を含む。
【００１８】
等価回路で見ると、添付した図１及び図２に示されているように、液晶パネル１００は、複数の信号線（Ｇ１−Ｇｎ、Ｄ１−Ｄｍ）及びこれらに連結された複数の画素を含む。各画素は、信号線（Ｇ１−Ｇｎ、Ｄ１−Ｄｍ）に連結されたスイッチング素子（Ｑ）と、スイッチング素子に連結された液晶キャパシタ（Ｃｌｃ）とストレージキャパシタ（Ｃｓｔ）とを含む。信号線（Ｇ１−Ｇｎ、Ｄ１−Ｄｍ）は、走査信号またはゲート信号を伝達し、行方向にのびている複数のゲート線（Ｇ１−Ｇｎ）（走査信号線ともいう）と、画像信号またはデータ信号とを伝達し、列方向にのびているデータ線（Ｄ１−Ｄｍ）を含む。スイッチング素子（Ｑ）は三端子素子であって、その制御端子はゲート線（Ｇ１−Ｇｎ）に連結されており、入力端子はデータ線（Ｄ１−Ｄｍ）に連結されており、出力端子は液晶キャパシタ（Ｃｌｃ）及びストレージキャパシタ（Ｃｓｔ）の一つの端子に連結されている。
【００１９】
特に、本発明の実施例による液晶表示装置は、前段ゲート駆動方式であるので、図２に示されているように、液晶キャパシタ（Ｃｌｃ）はスイッチング素子（Ｑ）の出力端子及び共通電圧（“基準電圧”ともいう）に連結されている。ストレージキャパシタ（Ｃｓｔ）の他の端子は真上のゲート線（以下、“前段ゲート線”という）に連結されている。
【００２０】
このような構造からなる液晶パネルにおいて、現在のゲート線（Ｇｎ）にゲートオン電圧が印加されてスイッチング素子（Ｑ）がオンすると、データ線に供給された階調電圧がスイッチング素子（Ｑ）を通じて画素電極に印加される。すると、画素電極に印加される画素電圧と共通電圧（Ｖｃｏｍ）との電圧差に該当する電界が液晶（図１及び図２では等価的に液晶キャパシタ（Ｃｌｃ）で示した）に印加され、この電界の強さに対応する透過率で光が透過するようにする。この場合、ストレージキャパシタ（Ｃｓｔ）には、前段ゲート線（Ｇｎ−１）から印加されるゲートオフ電圧と画素電極にかかる画素電圧との差に該当する電圧が充電されて、現在のゲート線の駆動によって画素電圧を１フレームの間維持するために補助的に使用される。
【００２１】
一方、駆動電圧生成部４００は、スイッチング素子（Ｑ）をオンさせるゲートオン電圧（Ｖｏｎ）と、スイッチング素子（Ｑ）をオフさせるゲートオフ電圧（Ｖｏｆｆ）と、共通電圧（Ｖｃｏｍ）と、ガンマ電圧を生成するためのデータ駆動電圧（ＶＤＨ）と、を生成する。特に、本発明の実施例では、ノイズが発生するのを防止するために、当該電圧を生成して、ゲート駆動部２００及び階調電圧生成部５００に供給する。
【００２２】
階調電圧生成部５００は、駆動電圧生成部４００からのデータ駆動電圧（ＶＤＨ）に基づいて階調電圧を生成し、データ駆動部３００に供給する。
ゲート駆動部２００は、スキャン駆動部）とも言い、液晶パネル１００のゲート線（Ｇ１−Ｇｎ）に連結されている。そして、ゲート駆動部２００は、駆動電圧生成部４００からのゲートオン電圧（Ｖｏｎ）及びゲートオフ電圧（Ｖｏｆｆ）の組み合わせからなるゲート信号をゲート線（Ｇ１−Ｇｎ）に印加する。
【００２３】
データ駆動部３００は、ソース駆動部とも言い、液晶表示板組立体３００のデータ線（Ｄ１−Ｄｍ）に連結されている。そして、データ駆動部３００は、階調電圧生成部５００からの階調電圧を選択して、データ信号としてデータ線（Ｄ１−Ｄｍ）に印加する。
【００２４】
タイミング制御部６００は、ゲート駆動部２００、データ駆動部３００、そして駆動電圧生成部４００などの動作を制御する制御信号を生成して、各々該当する制御信号をゲート駆動部２００、ソース駆動部３００、及び駆動電圧生成部４００に供給する。
【００２５】
タイミング制御部６００からゲート駆動部２００に出力される制御信号には、ゲート線にゲートオン電圧が印加されるようにするためにゲートオン電圧の印加開始を命令する垂直開始信号（ＳＴＶ）、このゲートオン電圧を各ゲート線に順に印加するためのゲートクロック信号（ＣＰＶ信号）、及びゲート駆動部２００の出力をイネーブル（ｅｎａｂｌｅ）させるゲートオンイネーブル信号（ＯＥ）などがある。
【００２６】
タイミング制御部６００からデータ駆動部３００に出力される制御信号には、外部の画像供給源（例えばグラフィック制御機）などからのデジタルデータ信号［Ｒ（０：Ｎ）、Ｇ（０：Ｎ）、Ｂ（０：Ｎ）］をソース駆動部３００に入力することを命令する水平開始信号（Ｈｓｔａｒｔ）、データ駆動部３００内でアナログ信号に変換されたデータ信号をパネルに印加することを命令するロード信号（ＬＯＡＤ）、及びデータ駆動部３００内のデータシフトを行うための水平クロック信号（ＨＣＬＫ）などがある。
【００２７】
また、タイミング制御部６００から駆動電圧生成部４００に出力される制御信号には、昇圧のための第１クロック信号（ＤＣＣＬＫ）、ゲートオン／オフ電圧及び共通電圧生成のための第２クロック信号（Ｍ）などがある。
【００２８】
それでは、このような構造からなる液晶表示装置において、タイミング制御部から印加される第１及び第２クロック信号によって複数の電圧を生成する駆動電圧生成部について、具体的に説明する。
【００２９】
図３に、本発明の第１実施例による駆動電圧生成部の構造を示す。
図３に示されているように、本発明の第１実施例による駆動電圧生成部４００は、タイミング制御部６００から印加される第１クロック信号（ＤＣＣＬＫ）及び第２クロック信号（Ｍ）のうちの一つを選択して出力する選択部４０１、選択されたクロック信号によって電圧を昇圧して出力する昇圧部４０２、昇圧された電圧に基づいて共通電圧（Ｖｃｏｍ）を生成する共通電圧生成部４０３、昇圧された電圧を基にゲートオン電圧（Ｖｏｎ）及びゲートオフ電圧（Ｖｏｆｆ）を生成するゲート電圧生成部４０４、昇圧された電圧を基に階調電圧を生成するためのデータ駆動電圧（ＶＤＨ）を生成するデータ駆動電圧生成部４０５を含む。ここで、昇圧部４０２は、チャージポンプ方式を用いて印加された電圧を昇圧させて出力するが、本発明は必ずしもこれに限定されない。チャージポンプ方式については既に公知の技術であるので、ここでは詳細な説明は省略する。
【００３０】
このような構造からなる駆動電圧生成部４００に連結されるタイミング制御部６００は、第１クロック信号（ＤＣＣＬＫ）を生成する第１クロック生成部６０１と、第２クロック信号（Ｍ）を供給する第２クロック生成部６０２とを含み、第１クロック生成部６０１には発振器７００が連結されている。タイミング制御部６００は、前記構成要素だけでなく、一般的な液晶表示装置を駆動するため及び入力される画像データを処理するための各種制御信号を処理及び生成する構成要素をさらに含むことができる。このような機能などを行う構成要素は既に公知の技術であるので、ここでは詳細な説明を省略する。
【００３１】
タイミング制御部６００の第１クロック生成部６０１は、発振器７００から提供される発振した電圧を分周して第１クロック信号（ＤＣＣＬＫ）を生成し、第２クロック生成部６０２は、外部の図示されていない画像供給源から印加される水平同期信号（Ｈｓｙｎｃ）に同期させて第２クロック信号（Ｍ）を生成する。図４に、このような各信号の波形図が示されている。
【００３２】
このように生成された第１及び第２クロック信号（ＤＣＣＬＫ、Ｍ）は駆動電圧生成部４００に提供され、第１クロック信号（ＤＣＬＫ）は昇圧部４０２の電圧を昇圧するための信号（昇圧クロック信号）として用いられ、第２クロック信号（Ｍ）は共通電圧生成部４０３の共通電圧生成のための信号として用いられる。
【００３３】
一方、第１クロック信号（ＤＣＬＫ）の周波数と表示周波数とが互いに異なるため、干渉が発生する。
より具体的には、図４に示されているように、第１クロック信号（ＤＣＣＬＫ）は発振器の出力電圧を分周した信号であるのに対して、第２クロック信号（Ｍ）は水平同期信号（Ｈｓｙｎｃ）に同期した信号である。そのため、第１クロック信号（ＤＣＣＬＫ）及び第２クロック信号（Ｍ）は互いに周波数及び位相が異なる。しかし、第２クロック信号（Ｍ）によって共通電圧（Ｖｃｏｍ）が生成されるため、結果的には、第１クロック信号（ＤＣＣＬＫ）及び共通電圧（Ｖｃｏｍ）の周波数及び位相が異なるようになる。
【００３４】
一般に、二つの信号間の周波数及び位相が異なる場合には、二つの信号間に周波数干渉が発生する。より具体的には、二つの信号間には、以下の４つの関係が上げられる。（ａ）周波数及び位相が共に同じである場合（ｂ）周波数は異なり位相は同じである場合（ｃ）周波数は同じであって位相は異なる場合（ｄ）周波数及び位相が共に異なる場合である。（ａ）の場合が最も理想的な関係であり、この場合にはノイズが発生しない。（ｂ）の場合、位相が同じであるため波形のノイズは発生しないが、フリッカーのようなノイズが発生する。（ｃ）の場合、低周波成分では波形のノイズが発生する。しかし、（ｄ）の場合、周波数及び位相が共に異なるため、波形のノイズが顕著に発生し、低周波成分よりも高周波成分の波形のノイズが発生する。
【００３５】
したがって、本発明の実施例による第１クロック信号（ＤＣＣＬＫ）及びライン反転のように一定の周期で変化する共通電圧（Ｖｃｏｍ）は、互いに周波数及び位相が共に異なるため、共通電圧（Ｖｃｏｍ）には波形のノイズのような高周波成分のノイズが発生する。また、第２クロック信号によってゲート電圧生成部４０４がゲート電圧を生成するため、第１クロック信号（ＤＣＣＬＫ）及びゲート電圧の周波数及び位相が異なるので、ゲート電圧にも高周波成分のノイズが発生する。
【００３６】
図５に、周波数干渉によってノイズが発生した状態を示す各電圧の波形図を示す。
本発明の実施例による液晶表示装置は前段ゲート駆動方式を採用しているため、現在の画素のストレージキャパシタ（Ｃｓｔ）に前段ゲート線が連結されている。そのため、図５に示されているように、共通電圧及びゲート電圧に高周波成分のノイズが含まれると、画像の表示の際にストレージキャパシタ（Ｃｓｔ）に影響を与えてしまい、表示される画像の画質が顕著に低下する。
【００３７】
したがって、本発明の実施例では、このようなノイズを除去するために、駆動電圧生成部４００の選択部４０１が第１クロック信号（ＤＣＣＬＫ）を昇圧部４０２に提供する前に、第１クロック信号（ＤＣＣＬＫ）及び第２クロック信号（Ｍ）を入力した後で、第２クロック信号（Ｍ）を選択して昇圧部４０２に提供する。つまり、共通電圧及びゲート電圧生成のためのクロック信号を昇圧クロック信号として選択する。
【００３８】
これにより、昇圧部４０２が第２クロック信号（Ｍ）によって電圧を昇圧して出力し、共通電圧生成部４０３が第２クロック信号（Ｍ）によって印加された昇圧電圧に基づいて共通電圧（Ｖｃｏｍ）を生成する。その結果、昇圧のためのクロック信号及び共通電圧（Ｖｃｏｍ）が互いに同期するので、前記のような周波数干渉が発生しない。また、ゲート電圧生成部４０４は、第２クロック信号（Ｍ）によって印加された昇圧電圧に基づいてゲート電圧を生成するので、ゲート電圧にノイズが含まれないようにすることができる。
【００３９】
したがって、互いに影響を与える信号間に周波数干渉が発生しないので、ノイズが発生せず画質の低下を防止することができる。
一方、前記第１実施例とは異なって、選択部を使用せずに周波数干渉を防止することもできる。
【００４０】
図６に、本発明の第２実施例による駆動電圧生成部の構造を示す。ここでは、前記第１実施例と同じ機能を行う構成要素については、第１実施例と同じ図面番号を付け、当該構成要素に対する詳細な説明は省略する。
【００４１】
図６に示されているように、本発明の第２実施例による駆動電圧生成部４００は、タイミング制御部６００から印加される第１クロック信号（ＤＣＣＬＫ）によって電圧を昇圧して出力する昇圧部４０２と、印加される第２クロック信号（Ｍ）によって昇圧された電圧に基づいて共通電圧（Ｖｃｏｍ）を生成する共通電圧生成部４０３と、ゲートオン電圧（Ｖｏｎ）及びゲートオフ電圧（Ｖｏｆｆ）を生成するゲート電圧生成部４０４と、データ駆動電圧（ＶＤＨ）を生成するデータ駆動電圧生成部４０５と、を含む。
【００４２】
第１実施例と同様に、駆動電圧生成部４００に第１及び第２クロック信号を供給するタイミング制御部６００は、第１クロック生成部６０１及び第２クロック生成部６０２を含むが、第１クロック生成部６０１に発振器は連結されない。
【００４３】
このような構造からなる本発明の第２実施例による駆動電圧生成部の動作について説明する。
図示されていない外部の画像供給源から印加される水平同期信号（Ｈｓｙｎｃ）に同期して、タイミング制御部６００の第１クロック生成部６０１は第１クロック信号（ＤＣＣＬＫ）を生成し、第２クロック生成部６０２は第２クロック信号（Ｍ）を生成する。つまり、前記第１実施例で見たように、第１クロック信号（ＤＣＬＫ）及び共通電圧（Ｖｃｏｍ）の周波数及び位相が互いに異なるために干渉が発生するので、本発明の第２実施例では、タイミング制御部６００において、第１クロック信号（ＤＣＣＬＫ）が共通電圧（Ｖｃｏｍ）と同期するように、第１クロック生成部６０１は、水平同期信号（Ｈｓｙｎｃ）に同期させて第１クロック信号（ＤＣＣＬＫ）を生成する。したがって、第１クロック信号（ＤＣＣＬＫ）及び第２クロック信号（Ｍ）は互いに同期する。
【００４４】
このように互いに同期した第１及び第２クロック信号（ＤＣＣＬＫ、Ｍ）は駆動電圧生成部４００に提供され、第１クロック信号（ＤＣＬＫ）は昇圧部４０２に入力され、第２クロック信号（Ｍ）は共通電圧生成部４０３及びゲート電圧生成部４０４に各々入力される。
【００４５】
共通電圧生成部４０３は、第２クロック信号（Ｍ）によって印加された昇圧電圧に基づいて共通電圧（Ｖｃｏｍ）を生成する。その結果、昇圧のためのクロック信号及び共通電圧（Ｖｃｏｍ）が互いに同期するので、前記のような周波数干渉が発生しない。一方、ゲート電圧生成部４０４も、第２クロック信号（Ｍ）によってゲートオン電圧（Ｖｏｎ）及びゲートオフ電圧（Ｖｏｆｆ）を生成して、ゲート駆動部２００に提供する。
【００４６】
図７に、本発明の第２実施例による信号の波形図を示す。図７に示されているように、本発明の実施例によれば、第１クロック信号（ＤＣＣＬＫ）及び共通電圧（Ｖｃｏｍ）の周期及び位相が同じになる。この時、第１クロック信号（ＤＣＣＬＫ）の立ち上がり及び立ち下がりで高周波成分がゲート信号及び共通電圧（Ｖｃｏｍ）に影響を与えるようになる。しかし、実際に各画素にゲートオン電圧及びデータ電圧が印加されて画像が表示される区間（ＤＩＳＰＴＭＧ）では、ゲート電圧及び共通電圧（Ｖｃｏｍ）に高周波成分のノイズが発生せず、前記区間（ＤＩＳＴＩＭＧ）のロー区間でのみ高周波成分のノイズが発生する。したがって、ノイズが発生しても画像の表示には影響を与えない。
【００４７】
前記第１及び第２実施例によって、電圧を昇圧するための第１クロック信号（ＤＣＬＫ）と共通電圧（Ｖｃｏｍ）とを同期させる駆動電圧生成部４００によって生成された共通電圧（Ｖｃｏｍ）、及びゲートオン／オフ電圧（Ｖｏｎ／Ｖｏｆｆ）は、ゲート駆動部２００に提供され、タイミング制御部６００で処理されたＲＧＢデータはデータ駆動部３００に提供される。
【００４８】
データ駆動部３００は、水平開始信号（Ｈｓｔａｒｔ）に同期して印加されるＲＧＢ画像データを各々対応する階調電圧に変換した後で、印加されるロード信号によって液晶パネル１００、即ち、薄膜トランジスタのスイッチング素子のソース電極に印加する。そして、ゲート駆動部２００は、タイミング制御部６００から出力されるゲートクロック信号ＣＰＶに同期させてゲートオン電圧を薄膜トランジスタのゲート電極に印加する。その結果、ソース電極に印加されたデータ電圧が画素電極に充電される。
【００４９】
したがって、各々の画素電極に供給されたデータ電圧と共通電極の電圧との電位差によって液晶の配向状態が変わり、それにより光の透過量が変わって、所望の画像が表示される。
【００５０】
以上で、本発明の好ましい実施例について詳細に説明したが、本発明の権利範囲はこれに限定されず、請求の範囲で定義している本発明の基本概念を利用した当業者の様々な変形及び改良形態も、本発明の権利範囲に属する。
【符号の説明】
【００５１】
２００  ゲート駆動部
３００  データ駆動部
４００  駆動電圧生成部
４０１  選択部
４０２  昇圧部
４０３  共通電圧生成部
４０４  ゲート電圧生成部
６００  タイミング制御部
７００  発信器
【図１】
2010117719.tif 000003
【図２】
2010117719.tif 000004
【図３】
2010117719.tif 000005
【図４】
2010117719.tif 000006
【図５】
2010117719.tif 000007
【図６】
2010117719.tif 000008
【図７】
2010117719.tif 000009